【事件の表示】
　特願２００５−１５７４５７「リモートコントローラ及びコマンド送信方法」拒絶査定不服審判事件〔平成１８年１２月　７日出願公開、特開２００６−３３３３４８〕について、次のとおり審決する。
【結　論】
　本件審判の請求は、成り立たない。
【理　由】
第１　手続きの経緯
　本願は、平成１７年５月３０日の出願であって、原審において平成２１年１０月６日付けで拒絶査定がなされ、これに対し、平成２２年１月１３日に審判請求がなされるとともに、同日付けで手続補正がなされ、平成２３年７月２０日付けの当審よりの審尋に対して、同年９月２６日に回答書が提出されたものである。
　
　
第２　平成２２年１月１３日付けの手続補正についての補正却下の決定
　
［補正却下の決定の結論］
　平成２２年１月１３日付けの手続補正を却下する。
　
［理由］
（１）　補正の内容
　上記手続補正（以下、「本件補正」という。）は、補正前の平成２１年８月１０日付けの手続補正の特許請求の範囲の請求項１に記載された、
　
　「【請求項１】
　キーの押下操作に応じたオン状態又はオフ状態を検出する検出部と、
　上記検出部により上記キーが押下操作されたときに供給されるキー信号に基づいて上記オン状態を検出した場合、その検出結果に基づいて所定ビット数でなるオンコードを複数個生成するオンコード生成部と、
　上記検出部により上記キーが押下操作されなくなった時点で途絶える上記キー信号に基づき、上記オン状態に続いて上記オフ状態を検出した場合、その検出結果に基づいて所定ビット数でなるオフコードを少なくとも１個生成するオフコード追加生成部と、
　上記オフコードを上記オンコードに対して付加することにより、複数個の上記オンコードと少なくとも１個の上記オフコードとがそれぞれ所定時間間隔で連続した送信コマンドを生成する送信コマンド生成部と、
　上記送信コマンドを所定の近距離無線通信方式によりコマンド受信対象へ無線送信する送信部と
　を具え、
　上記送信コマンド生成部は、上記キーが連続して複数回押下操作されたときでも、上記検出部による上記オン状態の検出結果と上記オフ状態の検出結果に従って、上記キーの押下操作タイミングに拘わらず複数個の送信コマンドを連続して生成する
　リモートコントローラ。」
という発明（以下、「本願発明」という。）を、
　
　「【請求項１】
　キーの押下操作に応じたオン状態又はオフ状態を検出する検出部と、
　上記検出部により上記キーが所定時間以下で押下操作されたときに供給されるキー信号に基づいて上記オン状態を検出した場合、その１回の検出結果に基づいて所定ビット数でなるオンコードを複数個生成し、又は上記キーに対する押下操作が上記所定時間を超える場合、当該押下時間に応じた個数の上記オンコードを複数個生成するオンコード生成部と、
　上記検出部により上記キーが押下操作されなくなった時点で途絶える上記キー信号に基づき、上記オン状態に続いて上記オフ状態を検出した場合、その検出結果に基づいて所定ビット数でなるオフコードを少なくとも１個生成するオフコード追加生成部と、
　上記オフコードを複数個の上記オンコードに対して付加することにより、複数個の上記オンコードと少なくとも１個の上記オフコードとがそれぞれ所定時間間隔で連続した送信コマンドを生成する送信コマンド生成部と、
　上記送信コマンドを所定の近距離無線通信方式によりコマンド受信対象へ無線送信する送信部と
　を具え、
　上記送信コマンド生成部は、上記キーが上記所定時間以下で連続して複数回押下操作されたときでも、又は上記キーが上記所定時間を超えて連続して押下操作され続けたときでも、上記検出部による上記オン状態の検出結果と上記オフ状態の検出結果に従って、上記キーの押下操作タイミングに拘わらず上記送信コマンドを連続して生成する
　リモートコントローラ。」
という発明（以下、「補正後の発明」という。）に補正することを含むものである。
　
　
（２）　補正の適否
　上記本件補正は、本願発明の「上記送信コマンド生成部は、上記キーが連続して複数回押下操作されたときでも、上記検出部による上記オン状態の検出結果と上記オフ状態の検出結果に従って、上記キーの押下操作タイミングに拘わらず複数個の送信コマンドを連続して生成する」を、
補正後の発明の「上記送信コマンド生成部は、上記キーが上記所定時間以下で連続して複数回押下操作されたときでも、又は上記キーが上記所定時間を超えて連続して押下操作され続けたときでも、上記検出部による上記オン状態の検出結果と上記オフ状態の検出結果に従って、上記キーの押下操作タイミングに拘わらず上記送信コマンドを連続して生成する」とすることを含むものである。
　しかしながら、補正事項である「又は上記キーが上記所定時間を超えて連続して押下操作され続けたときでも、・・・・・・、上記キーの押下操作タイミングに拘わらず上記送信コマンドを連続して生成する」ことについては、当初明細書等に何ら示されていない。
　すなわち、本願明細書には、
「【００４６】
（２−２）リモコンキーが１回だけ長く押下操作された場合の送信コマンド
　また図３に示すように、リモコンキー２が長い時間押下操作され続けたことによるＯＮ／ＯＦＦ検出部３からの検出結果Ｓ２Ａ及びＳ２Ｂに基づいて生成される送信コマンドＳ５は、リモコンキー２が押下操作されている時間だけ約５０[msec]程度の間隔で連続して生成されるオンコードＳ３（この場合、６個）に対して必ず１個のオフコードＳ４が付け加えられており、６個のオンコードＳ３と１個のオフコードＳ４とがそれぞれ約５０[msec]程度の間隔で連続して送信される。
【００４７】
　従って、この場合の６個のオンコードＳ３と１個のオフコードＳ４とが連続してなる送信コマンド５についても、必ず最後にオフコードＳ４が付け加えられているため、６個のオンコードＳ３に続いて付加された最後のオフコードＳ４によりリモコンキー２に対する連続した状態の押下操作がそこで完結したことをパーソナルコンピュータへ確実に伝達し得るようになされている。」
と、本願図３からも明らかなように、「送信コマンドＳ５」が１個送信されることが記載されているのみであり、「所定時間を超えて連続して押下操作され続けたとき」に（複数の）「送信コマンドを連続して生成する」ことは記載がない。
　また、他にその補正事項に関しての根拠となる記載も当初明細書等にあるとはいえない。
　したがって、上記補正事項は、当初明細書等に記載されたものでなく、当初明細書等の記載から自明な事項であるともいえないから、本件補正は、当初明細書等の記載事項の範囲内においてしたものでない。
　
（３）　むすび
　以上のとおり、本件補正は、特許法第１７条の２第３項の規定に違反するので、特許法第１５９条第１項の規定により読み替えて準用する特許法第５３条第１項の規定により却下すべきものである。
　
　なお、上記補正は、本願発明の「上記キーが連続して複数回押下操作されたときでも」に、補正後の発明の「又は上記キーが上記所定時間を超えて連続して押下操作され続けたときでも」を追加することにより択一的記載の要素を付加するものであり、本願発明を減縮したものでない。
　したがって、本件補正は、特許請求の範囲の減縮を目的とするものに該当しない。
　また、本件補正は、誤記の訂正、明りょうでない記載の釈明、請求項の削除を目的とするものにも該当しない。
　よって、上記手続補正は、平成１８年法律第５５条改正法の附則第３条第１項によりなお従前の例によるとされる同法による改正前の特許法第１７条の２第４項の規定にも違反するので、特許法第１５９条第１項の規定により読み替えて準用する同法第５３条第１項の規定により却下すべきものでもある。
　
　
第３　本願発明について
　平成２２年１月１３日付けの手続補正は上記のとおり却下されたので、本願の請求項１に係る発明（以下、という。）は、上記「第２　（１）　補正の内容」において「本願発明」として認定したとおりのものである。
　
　
（１）引用例
　原審の拒絶理由に引用された実願平５−１３１２８号（実開平６−７０３４０号）のＣＤ−ＲＯＭ（以下、「引用例」という。）には、「リモートコントロール送受信機」として、図面とともに以下の事項が記載されている。
　
　イ．「【請求項１】　複数の入力キーと、発光素子と、前記入力キーが押圧されたことに応答して対応する信号コードを送信すると共に前記入力キーの全ての押圧が解除された時に終了コードを送信するように前記発光素子の駆動を制御する送信側制御部とを備えたことを特徴とするリモートコントロール送信機。
【請求項２】　請求項１に規定されるリモートコントロール送信機からの送信信号を受信するリモートコントロール受信機において、前記リモートコントロール送信機からの送信信号を感知する受光素子と、この受光素子により感知された信号内に終了コードを検出したことに応答して送信信号の終了を認識する受信側制御部とを備えたことを特徴とするリモートコントロール受信機。」（２頁１欄）
　
　ロ．「    【０００１】
【産業上の利用分野】
  本考案は、例えば赤外線リモートコントロールに用いられるリモートコントロール送受信機に関する。
    【０００２】
【従来の技術】
  一般に、赤外線リモートコントロールは、各種の家庭電気製品やゲーム機器等において広く使用されている。この種の赤外線リモートコントロール用の送受信機における送信フォーマットは、例えば１６ビットを１ワードとするコード形式で表され、この中に機器コードを表すビット群や機能動作コードを表すビット群が含まれており、テレビジョン受像機におけるチャンネル番号の増加や減少、ボリュームの増減、ゲーム機器の操作等を行うようになっている。
  そして、この種の送受信機における出力形式は、図６に示すように例えばあるキーが押圧されてキー入力が行われている間、そのキーに対応するコードデータが１ワードずつ連続的に送信信号として出力され、キーの押圧が解除されると略同時に送信信号の送出を停止するようになっている。
    【０００３】
  ところで、この種の通信系、特に赤外線を送受信用に用いた場合には通信系が非常に不安定であるために１〜２ワードのデータが失われることは頻繁に発生する。このため、受信側においては送信信号のデータの終了を、データの受信後に直ちに確定するのではなく、図６に示すように２〜３ワードの長さＴ１（図示例にあっては３ワードに対応）に対応する期間だけ待機してデータ入力が不存在であることを確認してデータの終了を確定するようにし、データ喪失に対抗していた。
【０００４】
【考案が解決しようとする課題】
　しかしながら、上述したようにデータ終了確認のために２〜３ワードの長さに相当する待機期間を設けると、キーの押圧を解除した後に受信側でデータ入力の終了を確認するまでの認識時間に要する時間だけ遅れが大きくなり、特に、この種の通信系を例えばゲーム用に使用した場合等にあっては応答性が悪いために操作性が悪くなり、ゲーム性を損なってしまうという問題点があった。
　本考案は、以上のような問題点に着目し、これを有効に解決すべく創案されたものであり、その目的は、入力キーの押圧が解除された時に終了コードを送信するようにしたリモートコントロール送受信機を提供することにある。」（４〜５頁）
　
　ハ．「【０００９】
　図示するようにリモートコントロール送信機１は、複数の入力キー２Ａ〜２Ｎを有しており、各キーの端子は例えばマイクロコンピュータ等よりなる送信側制御部３へ接続されている。この制御部３は、例えば各キーのオン・オフ状態を取り込む入力ポート４と、上記各キーに対応して予め定められたコードをテーブル化して記憶する記憶部、例えばＲＯＭ５と、上記入力ポート４からの信号に基づいて上記ＲＯＭ５を参照することにより対応するコードを呼び出して出力するマイクロプロセッサのごとき処理部６と、上記キーがオン状態からオフ状態に切り換わったことを検知してその旨を上記処理部６に知らせるキーオフ検出部７とを有しており、この処理部６は、上記入力キー２が押圧されるとそれに対応するコードを上記ＲＯＭ５から呼び出して出力すると共に上記入力キー２が離れた時にキーオフ検出部７からその旨の通知を受けてＲＯＭ５に記憶されている終了コード、例えば００Ｆ（１６進数）を出力するようになっている。
　この制御部３からの出力は例えば赤外線を発する発光素子８に接続された例えばＮＰＮ型の駆動トランジスタ９のベースに接続されており、上記入力キーに対応した信号コードを送信信号Ｓとして出力するようになっている。尚、図中１０は電流制限用の抵抗である。
　　【００１０】
　一方、リモートコントロール受信機１１は、上記送信機１から赤外線の送信信号Ｓを感知するための、例えばＰＩＮホトダイオードのような受光素子１２を有しており、この受光素子１２は赤外線検出信号を増幅するための増幅器１３、所望の帯域の周波数の信号を通すバンドパスフィルタ１４及びこのフィルタを通過した信号と所定の基準値（閾値）とを比較することにより波形整形を行うコンパレータ１５に順次接続されている。このコンパレータ１５の出力は例えばマイクロコンピュータ等よりなる受信側制御部１６へ接続されており、この制御部１６は、入力されるべきコードと例えばボリュームの上げ下げ等の機能とを予め対応させてテーブル化して記憶した記憶部、例えばＲＯＭ１７と、上記受光素子１２からの信号内に終了コードが存在するか否かを検出する終了コード検出部１８と、この検出部１８からの終了コード検出信号に基づいて送信信号の終了を認識して上記ＲＯＭ１７を参照しつつ受光素子１２からの信号をデコードする例えばマイクロプロセッサ等よりなる処理部１９とを有しており、この制御部１６により得られた制御信号を各制御対象へ送出するようになっている。」（６〜７頁）
　
　ニ．「【００１１】
　本実施例で使用されるコード形式は、例えば図３に示すようにＣ０〜Ｃ７、Ｄ０〜Ｄ７の１６ビットにより構成され、発光素子８からの出力波形は例えば図４に示すように表され、最初にヘッダ２０を出力した後、上記図３に示すコード形式が所定の間隔を隔てて繰り返し出力される。この場合、ビットＣ０から次のコードのビットＣ０までの間が１ワードとなる。また、変調方式は例えばパルス間隔（位置）変調を採用しており、図５に示すようにコード０、１のそれぞれのパルス間隔Ｗ１、Ｗ２を異ならせている。
　また、上記１６ビットのコード形式の内、例えばカスタムコードすなわちＣ０〜Ｃ７は会社名や使用機器、例えばテレビジョン、ビデオ等を表すコードとして使用され、データコードすなわちＤ０〜Ｄ７は機能動作、例えばチャンネルの変更や、ボリュームの増減を指示する制御命令として使用される。」（７頁）
　
  ホ．「【００１２】
　次に、以上のように構成された本実施例の動作について説明する。
　まず、送信機側で複数の入力キー群２Ａ〜２Ｎの内、所定の入力キーが押圧されると、送信側制御部３の処理部６はその入力キーに対応したコードをＲＯＭ５を参照して呼び出し、これに対応させて駆動トランジスタ９をオンオフさせて発光素子８から信号コードを送信信号として送出する。この信号コードの送出は上記入力キーの押圧がなされている間、連続して行われ、この入力キーの全ての押圧が解除されるとこの解除をキーオフ検出部７が検出し、その旨を処理部６に通知する。すると処理部６は、最後に送出された信号コードの後に例えば００Ｆにより表される終了コードを付与する。
　このような送信方式は図２に表され、所定の入力キーが押されて接触している間は、この入力キーに対応する信号コードＳ１が連続して送出され、入力キーの全ての押圧が解除されると直ちに終了コードＳ２が送出される。図示例にあっては信号コードが連続して３回送出された場合を示す。
　　【００１３】
　一方、受信機１１の受光素子１２は上記送信信号Ｓを感知し、この信号は増幅器１３、バンドパスフィルタ１４及びコンパレータ１５を介して受信側制御部１６の処理部１９へ入力されてＲＯＭ１７を参照しつつ信号コードをデコードする。この場合、終了コード検出部１８は送信信号中に終了コードＳ２が存在することを確認することによって処理部１９はデータの終了を認識する。これによりＲＯＭ１７を参照して得られた制御信号は直ちに後段の制御対象へ送出されることになる。この時の受信機側の認識は図２に示すように表され、終了コードＳ２が検出されると直ちに認識が終了する。」（７〜８頁）
　
　ヘ．「【００１４】
　このように本実施例においては、入力キーの全ての押圧解除に応じて信号コードの後に付加される終了コードを検出することによってデータの入力を確定するようにしたので、図６に示す従来方式のようにデータの受信後、２〜３ワードに対応する期間だけ信号のない事を確認してデータの終了を確定した場合と異なり、受信側での受信データの終了の確定を速く行うことが可能となり、データの認識速度を早くすることができる。
　尚、上記実施例にあっては、終了コードとして００Ｆを用いたがこのコードに限定されないのは勿論であり、また、本実施例の送信側制御部３及び受信側制御部１６での動作はソフトウェアによる処理手順を代表的に示したものであり、この手順に従わなくてよいのは勿論である。」（８頁）
　
　ト．「【００１５】
【考案の効果】
　以上説明したように、本考案のリモートコントロール送信機及びその受信機によれば次のように優れた作用効果を発揮することができる。
　入力キーの全ての押圧が解除されたことに応答して終了コードを送信させ、受信側ではこの終了コードを検出することに応じて直ちに信号コードの送信の終了を確定させるようにしたので、従来方式のように数ワードの長さに対応する期間だけ信号の入力が存在しない時に送信の終了を確定した場合と異なり、データ終了の確定を早期に行うことができ、例えばテレビジョンやゲーム機器等の操作性を大幅に向上させることができる。」（９頁）
　
　
　上記摘記事項及びこの分野における技術常識を考慮すると、
　引用例記載の「リモートコントロール送受信機」は、上記イ．、ハ．、図１にあるように、いわゆるリモコンとしてユーザがその「複数の入力キー２Ａ〜２Ｎ」を押圧操作する「リモートコントロール送信機１」を有しており、
　上記ハ．【０００９】には、「各キーの端子は例えばマイクロコンピュータ等よりなる送信側制御部３へ接続されている。この制御部３は、例えば各キーのオン・オフ状態を取り込む入力ポート４」を有するとあるから、前記「リモートコントロール送信機１」は、「制御部３」および『入力キーの押圧に応じたオン状態又はオフ状態を取り込む入力ポート４』を有するものである。
　
　また、上記ホ．【００１２】には、
　「送信機側で複数の入力キー群２Ａ〜２Ｎの内、所定の入力キーが押圧されると、送信側制御部３の処理部６はその入力キーに対応したコードをＲＯＭ５を参照して呼び出し、これに対応させて駆動トランジスタ９をオンオフさせて発光素子８から信号コードを送信信号として送出する。この信号コードの送出は上記入力キーの押圧がなされている間、連続して行われ、この入力キーの全ての押圧が解除されるとこの解除をキーオフ検出部７が検出し、その旨を処理部６に通知する。すると処理部６は、最後に送出された信号コードの後に例えば００Ｆにより表される終了コードを付与する。」、
「　このような送信方式は図２に表され、所定の入力キーが押されて接触している間は、この入力キーに対応する信号コードＳ１が連続して送出され、入力キーの全ての押圧が解除されると直ちに終了コードＳ２が送出される。図示例にあっては信号コードが連続して３回送出された場合を示す。」とあるから、
　前記「リモートコントロール送信機１」の「制御部３」には、入力キーが押圧されたときに前記「入力ポート４」から出力される信号に基づいて、「信号コードＳ１」を入力キーの押圧がなされている間、複数作成する手段と、入力キーが全て押圧解除されると、これを検出し「終了コードＳ２」を１個作成する手段があるものと認められ、
　上記ニ．図３によれば、これらのコードは、いずれも所定ビット数でなるものと認められるから、
　結局、引用例記載の「リモートコントロール送信機１」の「制御部３」は、全体として、
　『上記入力ポート４により上記入力キーが押圧されたときに出力される信号に基づいて上記オン状態を取り込んだ場合、入力ポート４からの信号に基づいて所定ビット数でなる信号コードＳ１を押圧がなされている間に複数個作成する制御部３（信号コード作成部）』と、
　『上記入力ポート４により上記入力キーが全て押圧解除されると上記信号に基づき、上記オン状態から上記オフ状態に切り換わったことを検出した場合、切り換わった旨の通知を受けて所定ビット数でなる終了コードＳ２を１個作成する制御部３（終了コード作成部）』とを具えるものということができる。
　
　また、上記ホ．【００１２】および図２の記載によれば、これらのコードは、複数個の「信号コードＳ１」がそれぞれ所定時間間隔で連続した後に１個の「終了コードＳ２」が付加された「送信信号Ｓ」として作成されていることも認められるから、引用例記載の「リモートコントロール送信機１」の「制御部３」は、全体として、
　『上記終了コードＳ２を上記信号コードＳ１に対して付加することにより、押圧がなされている間に複数個の上記信号コードＳ１と１個の上記終了コードＳ２とがそれぞれ所定時間間隔で連続した送信信号Ｓを作成する制御部３（送信信号作成部）』をも具えるものである。
　そして、例えば上記ハ．【０００９】後段から【００１０】前段には、
「この制御部３からの出力は例えば赤外線を発する発光素子８に接続された例えばＮＰＮ型の駆動トランジスタ９のベースに接続されており、上記入力キーに対応した信号コードを送信信号Ｓとして出力するようになっている。
（・・・中略・・・）
　一方、リモートコントロール受信機１１は、上記送信機１から赤外線の送信信号Ｓを感知するための、例えばＰＩＮホトダイオードのような受光素子１２を有しており、」とあるから、
　前記「送信信号Ｓ」は「発光素子８」から「赤外線通信方式」により受信対象である「リモートコントロール受信機１１」へ赤外線送信されており、
　引用例記載の「リモートコントロール送信機１」は、『上記送信信号Ｓを赤外線通信方式によりリモートコントロール受信機１１へ赤外線送信する発光素子８』をも具えるものである。
　
　したがって、引用例には、以下の発明（以下、「引用発明」という。）が開示されている。
　
（引用発明）
　「入力キーの押圧に応じたオン状態又はオフ状態を取り込む入力ポート４と、
　上記入力ポート４により上記入力キーが押圧されたときに出力される信号に基づいて上記オン状態を取り込んだ場合、入力ポート４からの信号に基づいて所定ビット数でなる信号コードＳ１を押圧がなされている間に複数個作成する制御部３（信号コード作成部）と、
　上記入力ポート４により上記入力キーが全て押圧解除されると上記信号に基づき、上記オン状態から上記オフ状態に切り換わったことを検出した場合、切り換わった旨の通知を受けて所定ビット数でなる終了コードＳ２を１個作成する制御部３（終了コード作成部）と、
　上記終了コードＳ２を上記信号コードＳ１に対して付加することにより、押圧がなされている間に複数個の上記信号コードＳ１と１個の上記終了コードＳ２とがそれぞれ所定時間間隔で連続した送信信号Ｓを作成する制御部３（送信信号作成部）と、
　上記送信信号Ｓを赤外線通信方式によりリモートコントロール受信機１１へ赤外線送信する発光素子８と
　を具えるリモートコントロール送信機１」
　
　
［周知例］
　例えば、原審の拒絶理由に引用された実願平３−９７９９４号（実開平５−４１２８６号）のＣＤ−ＲＯＭ（以下、「周知例」という。）には、図面とともに以下の事項が記載されている。
　
　チ．「【００１１】
　【実施例】
　以下、本考案に係る遠隔操作装置の実施例について図面を参照しながら説明する。
　図１は、本考案の一実施例となる遠隔操作装置の機能ブロック図である。
　図１において、遠隔操作装置１０は、ユーザが操作するキー操作部１１と、このキー操作部１１のキー操作によってどのキーが入力されたかを検出するキー読み取り部１２と、このキー読み取り部１２によって検出されたキー入力を表示回路１３を介して表示する例えばＬＣＤ等の表示素子１４と、上記キー読み取り部１２によって検出されたキー入力が書き込まれるメモリ部１５と、上記キー読み取り部１２からのキー入力が供給されて、上記メモリ部１５のアドレスを制御するメモリ制御部１６と、上記メモリ部１５に記憶された設定時刻を基準時計１７と比較し一致したときの一致出力を送出する設定時刻比較部１８と、この設定時刻部比較部１８からの一致出力が供給されて上記メモリ部１５に記憶された設定データを制御するメモリデータ制御部１９と、このメモリデータ制御部１９により制御されて上記メモリ部１５から読みだされた設定データが供給され、遠隔操作信号を生成する遠隔操作信号エンコーダ２０と、この遠隔操作信号エンコーダ２０によって生成された遠隔操作信号が供給されてＬＥＤを駆動するＬＥＤ駆動回路２１と、このＬＥＤ駆動回路２１に駆動されて図示しない被制御機器に遠隔操作信号を赤外線等で送信する発光部２２とを備える。
【００１２】
　次に、本考案の一実施例となる遠隔操作装置の動作を説明する。
　先ず、ユーザによってキー操作部１１のキーが予約のための設定項目にしたがって押圧操作される。押圧操作されたキーがどのような入力なのかをキー読み取り部１２が判別しその内容を表示回路１３を介して表示素子１４が表示する。一方、上記キー読み取り部１２で判別されたキー入力データは、メモリ部１５に供給されて記憶される。ここで、上記キー入力データがメモリ部１５に記憶（書き込まれる）されるためには上記キー入力データがメモリ制御部１６にも供給されてメモリ部１５のアドレスが指定される。このメモリ部１５に記憶されるデータは、例えばＶＴＲの留守番録画予約であれば、テレビ放送のチャンネル、曜日、設定時刻、チャンネル及び商品区別のデータである。これらメモリ部１５に供給された各データは、開始時刻と終了時刻に関連付けられて記憶される。そして、開始時刻と終了時刻（両者を合わせて設定時刻とする。）は、設定時刻比較部１８により基準時計１７の基準時刻と比較されて、一致したときにメモリデータ制御部１９に一致出力を供給する。このメモリデータ制御部１９は、メモリ部１５に制御信号を出力する。この制御信号は、メモリ部１５に記憶された各データを読みだすためのアドレス指定を行う。設定時刻に関連付けられて記憶された各データは、上記メモリデータ制御部１９によりアドレス指定されて読みだされ、遠隔操作信号エンコーダ２０に供給され、各キーデータコードに応じた遠隔操作信号がＬＥＤ駆動回路２１を介して発光部２２供給され、この発光部２２から被制御機器に送信される。」（８頁８行〜９頁１９行）
　
　リ．「【００１３】
　本考案に係る遠隔操作装置は、一つの会社（メーカ）の一つの機器（カテゴリ）だけを遠隔操作するだけでなく複数の会社（メーカ）の複数の機器（カテゴリ）から所望の被制御機器をキー操作部１１のキーの押圧操作により選択することができる。これは、遠隔操作の複数のフォーマットに対応する複数組のキーコードデータが予めメモリ部１５等に記憶され、これらの複数フォーマットの内の一つが選択されて押圧操作されたキーに応じたキーコードデータがメモリ部１５から読みだされるようにすることで可能である。
【００１４】
　図２は、上記遠隔操作信号のフォーマットの基本的な構成例を示す波形図である。
　図２は、フォーマットの構成が
　ガイドパルスＧP ＋データコードＤC （７ビット）＋カテゴリコードＫC （５ビット）
の例である。
【００１５】
　図２において、ガイドパルスＧP の時間長は、２．４ｍｓである。このガイドパルスＧP の時間長は、各メーカ毎のフォーマットによって異なっており、メーカによっては、ガイドパルスＧP のないものもある。データコードＤC は、７ビットあり、この例では、「１０１０１０１」になっている。このデータコードＤC は例えばＶＴＲでいえば、「プレイ」、「ストップ」等の操作を指定するコードである。カテゴリコードＫC は、５ビットあり、この例では、「００００１」となっている。このカテゴリコードＫC は、例えばＶＴＲ、ＴＶ等の商品を指定するコードである。上記データコードＤC とカテゴリコードＫC は、メーカ毎に異なるが、それぞれのビット数が異なったメーカで同一であることもある。しかし、データコードＤC とカテゴリコードＫC との合計ビット数（図２の例では１２ビット）は、メーカによって異なる。
【００１６】
　したがって、フォーマットを構成するガイドパルスＧP の時間長とデータコードＤC とカテゴリコードＫC との合計ビット数とでメーカを判別または確認できる。」（９頁２０行〜１０頁２１行）
　
　ヌ．「【００１７】
　図３は、上記のフォーマットの構成を模式図で表した図であり、Ａ、Ｂ、Ｃの３つのフォーマット構成を示している。Ａ、Ｂ、Ｃフォーマットともそれぞれ異なったガイドパルス時間長を持つガイドパルスＧP を先頭にしているがその後に続くデータコードＤC とカテゴリコードＫC の順番は異なり、さらにそれぞれの反転コードである逆データコードＤC * と逆カテゴリコードＫC * も異なった順番で配列されている。
【００１８】
　ここで、本考案に係る遠隔操作装置は、キー操作部１１で押圧したキーに応じたフォーマットを持つ遠隔操作信号を例えば３フレーム分繰り返し送信し、そのうちの例えば２フレーム分を受信側である被制御機器が受信できれば遠隔操作が可能となる。」（１０頁２２行〜１１頁４行）
　
（周知技術）
　上記周知例のほか、例えば、実願平３−１０６５５５号（実開平５−５０８８９号）のＣＤ−ＲＯＭ（【００２６】参照）、特開平５−１３０６８０号公報（【００２０】参照）、特開平５−１２２７８１号公報（【００１７】参照）、特開平５−１２２７８０号公報（【００１４】参照）にもあるように、
　「遠隔操作装置において、キー操作部で押圧したキーに応じたフォーマットを持つ遠隔操作信号を例えば３フレーム分繰り返し送信すること」は周知技術である。
　
　
（２）対比
　本願発明と引用発明を対比する。
　
　まず、引用発明の「入力キー」は、本願発明の「キー」であり、その「押圧」とは、キーを押下する操作であるから、本願発明の「押下操作」であり、
　引用発明の（キーのオンオフの）「状態を取り込む」とは、状態を取り込んで検出すると言えるから、本願発明の「状態を検出する」にあたり、
　引用発明の（状態を取り込む）「入力ポート４」は、そのような状態検出のための部分であるから、本願発明の「検出部」に相当する。
　
　また、引用発明の「出力される信号」は、信号の受信側からみれば「供給される信号」であって、キーの状態を示す信号であるから、本願発明の「供給されるキー信号」であり、
　引用発明の「入力ポート４からの信号」は、「入力ポート４」（検出部）によりキーのオンオフの状態を検出した結果を示しているから、本願発明の「その検出結果」であり、
　引用発明の「信号コードＳ１」は、入力キーが押圧されているオン状態で作成されるコードであるから、本願発明の「オンコード」にあたり、
　引用発明の「制御部３（信号コード作成部）」は、該「オンコード」を作成（生成）する部分であるから、本願発明の「オンコード生成部」に相当する。
　
　また、引用発明の「上記入力ポート４により上記入力キーが全て押圧解除されると上記信号に基づき、上記オン状態から上記オフ状態に切り換わったことを検出した場合」において、
　入力キーの押圧が全て解除、すなわちキーが押下操作されなくなった時点で、オン状態を示すキー信号は途絶えるのは明らかであり、これに基づき、オン状態に続いてオフ状態となったことが検出されるから、
本願発明の「上記検出部により上記キーが押下操作されなくなった時点で途絶える上記キー信号に基づき、上記オン状態に続いて上記オフ状態を検出した場合」にあたる。
　また、引用発明の「切り換わった旨の通知」は、切り換わったことを検出した結果であるから、本願発明の「その検出結果」であり、
　引用発明の「終了コードＳ２」は、入力キーが押圧されていないオフ状態を検出して作成されるコードであるから、本願発明の「オフコード」にあたり、
　引用発明の「制御部３（終了コード作成部）」は、該「オフコード」を追加的に作成（生成）する部分であるから、本願発明の「オフコード追加生成部」に相当する。
　
　また、引用発明の「送信信号Ｓ」は、前記複数個の「信号コードＳ１」（オンコード）に１個の「終了コードＳ２」（オフコード）が付加された一連の信号であって、ユーザがリモコンからの指令（コマンド）を送信するための信号であるから、本願発明の「送信コマンド」であり、
　引用発明の「制御部３（送信信号作成部）」は、該送信コマンドを作成（生成）する部分であるから、本願発明の「送信コマンド生成部」に相当する。
　
　そして、引用発明の「赤外線通信方式」は、近距離無線通信方式の一種であるから、本願発明の「所定の近距離無線通信方式」であり、
　引用発明の「リモートコントロール受信機１１」は、「送信信号Ｓ」（送信コマンド）を受信させる対象物であるから、本願発明の「コマンド受信対象」であり、
　引用発明の「赤外線送信する発光素子８」において、「赤外線送信」は「無線送信」であり、「発光素子８」は、赤外線（無線）により「送信信号Ｓ」（送信コマンド）を送信する部分であるから、本願発明の「無線送信する送信部」であって、
　引用発明の「リモートコントロール送信機１」は、本願発明の「リモートコントローラ」である。
　
　したがって、両者は、以下の点で一致ないし相違する。
　
（一致点）
　「キーの押下操作に応じたオン状態又はオフ状態を検出する検出部と、
　上記検出部により上記キーが押下操作されたときに供給されるキー信号に基づいて上記オン状態を検出した場合、その検出結果に基づいて所定ビット数でなるオンコードを生成するオンコード生成部と、
　上記検出部により上記キーが押下操作されなくなった時点で途絶える上記キー信号に基づき、上記オン状態に続いて上記オフ状態を検出した場合、その検出結果に基づいて所定ビット数でなるオフコードを少なくとも１個生成するオフコード追加生成部と、
　上記オフコードを上記オンコードに対して付加することにより、上記オンコードと少なくとも１個の上記オフコードとがそれぞれ所定時間間隔で連続した送信コマンドを生成する送信コマンド生成部と、
　上記送信コマンドを所定の近距離無線通信方式によりコマンド受信対象へ無線送信する送信部と
　を具える、
　リモートコントローラ。」
　
（相違点１）
　「オンコード生成部」で生成され、「送信コマンド生成部」において「オフコード」を付加される「オンコード」に関し、本願発明は「複数個」であるのに対し、引用発明は「押圧がなされている間に複数個」である点。
（相違点２）
　本願発明は、「上記送信コマンド生成部は、上記キーが連続して複数回押下操作されたときでも、上記検出部による上記オン状態の検出結果と上記オフ状態の検出結果に従って、上記キーの押下操作タイミングに拘わらず複数個の送信コマンドを連続して生成する」のに対し、引用発明はその時の動作が明らかでない点。
　
（３）判断
　まず、相違点１の「複数個」の「オンコード」について検討する。
　そもそも、引用発明も「押圧がなされている間」ではあるが「複数個」の「信号コード」を作成・送信するものではあるが、念のため検討すると、
　一般に通信の信頼性向上などのために、同一の信号を複数回反復送信することは、通信技術における周知の慣用手段であって、特に「リモートコントローラ」（遠隔操作装置）の分野においても、上記周知例ほかにあるように、「遠隔操作装置において、キー操作部で押圧したキーに応じたフォーマットを持つ遠隔操作信号を例えば３フレーム分繰り返し送信すること」は周知技術である。
　この周知技術を引用発明へ適用することを妨げる理由はないから、引用発明において、「押圧がなされている間」に限らず、「信号コードＳ１」（オンコード）を常に複数個作成し、送信するようになすのは、当業者が容易に想到し得ることであり、相違点１は格別のものではない。
　
　つぎに、相違点２の「複数個の送信コマンド」の連続生成について検討する。
　引用発明の「リモートコントロール送信機１」においても、１つの送信コマンドの送信は有限時間内に終了して、次の入力キー操作が可能となるのは当然のことであるから、ある程度以上の時間間隔で「入力キーが連続して複数回押下操作されたとき」には、「入力ポート４」（検出部）により入力キーのオン状態と上記オフ状態が検出され、その検出結果に従って、「複数個の送信コマンドを連続して生成」することとなるのは自明なことである。
　キーの連続操作をどれだけ短い時間間隔まで許容するか、換言すればどれだけ高速なキー入力を可能とするかは、当業者が必要に応じ定め得る設計的事項に過ぎないから、充分に高速なキーの連続操作を許容する設計とすれば、実質的に入力キーのオン状態と上記オフ状態の検出結果に忠実に従って、「キーの押下操作タイミングに拘わらず」に複数個の送信コマンドを連続して生成することとなるのも当然の結果である。
　したがって、本願発明が「上記送信コマンド生成部は、上記キーが連続して複数回押下操作されたときでも、上記検出部による上記オン状態の検出結果と上記オフ状態の検出結果に従って、上記キーの押下操作タイミングに拘わらず複数個の送信コマンドを連続して生成する」とした相違点２も格別のことではない。
　
　そして、本願発明の作用効果も、引用発明および周知技術から当業者が予測できる範囲のものである。
　
　なお、仮に本件補正が新規事項を含まず、本願発明を減縮するものであって、上記「第２　平成２２年１月１３日付けの手続補正についての補正却下の決定」において述べた理由によっては却下されないものであるとしても、
　補正後の発明の、「又は上記キーに対する押下操作が上記所定時間を超える場合、当該押下時間に応じた個数の上記オンコードを複数個生成する」との補正事項は、上記引用発明において「信号コードＳ１を押圧がなされている間に複数個作成する」構成と実質的に同じことであり、
　また、補正後の発明の、「上記キーが上記所定時間を超えて連続して押下操作され続けたときでも、上記検出部による上記オン状態の検出結果と上記オフ状態の検出結果に従って、上記キーの押下操作タイミングに拘わらず上記送信コマンドを連続して生成する」との補正事項も、上記相違点２の判断において述べたような「複数個の送信コマンド」の連続生成を、キーの連続押下操作に適用したものにすぎないから、当業者であれば容易に想到し得たものであって、独立して特許を受けることができないものであるから、補正却下の結論に変わりはない。
　
　また、審判請求人は、当審よりの審尋に対する回答書において、
「上記キーが上記所定時間を超えて連続して押下操作され続けたとき、上記押下時間に応じた個数のオンコードと少なくとも１個の上記オフコードとからなる１個の上記送信コマンドを生成する」との補正事項を含む補正案を提示もするが、
　本補正事項も、上記に述べたように、引用発明において「信号コードＳ１を押圧がなされている間に複数個作成する」構成と同じことであり、補正案の発明も引用発明に基づいて、当業者が容易に発明をすることができたものであるから、特許法第２９条第２項の規定により特許を受けることができないものであって、審決の結論に変わりはない。
　
　
（４）むすび
　以上のとおり、本願発明は、引用発明に基づいて、当業者が容易に発明をすることができたものであるから、特許法第２９条第２項の規定により特許を受けることができない。
　よって、結論のとおり審決する。